(57)【要約】【課題】グレイスケールを増加する駆動方法の提供。【解決手段】本発明はグレイスケールを増加する駆動方法。本発明の主要目的は、フレーム変調（ＦＲＭ）モード中に、パルス幅変調（ＰＷＭ）モードを加え、低表示速度フレームの状況下で、画素が表示するグレイレベルを増加し、且つ元々あるＬＣＤ駆動回路を使用することができ、特殊規格のＬＣＤ駆動回路を必要としないことである。低表示速度フレームの状況下で、画素が表示するグレイレベルを増加し、フレーム変調（ＦＲＭ）モード中にパルス幅変調（ＰＷＭ）モードを加えて、画素がフリックしない（Ｎｏｍ−Ｆｌｉｃｋ）ようにし、且つクロストーク低減（Ｃｒｏｓｓｔａｌｋ  Ｒｅｄｕｃｔｉｏｎ）を低下して、画素内の駆動エレメントの出力を安定させて、パネルの寿命を延ばし、表示クォリティをアップすることである。【選択図】図４
2007264185.tif 000002
【特許請求の範囲】
【請求項１】
フレーム変調モードを有する表示パネルに対し、以下を含むことを特徴とするグレイスケールを増加する駆動方法において、
水平同期信号を利用した調整により、一つのフレーム時間内の水平同期信号数を変更し、そのフレーム時間を分割して、パルス幅変調モードを加え、且つそのパルス幅変調モードをコモン駆動回路上に設定することを特徴とするグレイスケールを増加する駆動方法。
【請求項２】
当該パルス幅変調モードをさらに一歩進め、フレーム内の点灯時間のセグメントを近隣の非点灯フレームにシェアして、表示パネル上の画素を元々は連続フレーム中の点灯フレーム時間に対し、近隣の非点灯画素のフレーム時間にまで分散させることを特徴とする請求項１記載のグレイスケールを増加する駆動方法。
【請求項３】
当該点灯時間のセグメントのシェアは、同じフレーム数内で、画素に元のグレイレベルが必要したのと同じ点灯時間を保有させることを特徴とする請求項２記載のグレイスケールを増加する駆動方法。
【請求項４】
当該表示パネル上の同一セグメント電極の上下方向に隣り合う画素のパルス幅変調の点灯信号を連続させ、また非点灯のパルス幅変調信号を連続させて、画素の駆動切り替え動作頻度を減少することを特徴とする請求項２記載のグレイスケールを増加する駆動方法。
【請求項５】
隣り合うセグメント電極の画素の点灯及び非点灯のパルス幅変調信号をずらし、信号間のクロストーク低減を減少できることを特徴とする請求項４記載のグレイスケールを増加する駆動方法。
【発明の詳細な説明】
【技術分野】
【０００１】
グレイスケールを増加する駆動方法の一種は、液晶ディスプレイのグレイスケール駆動技術に関するもので、特にそのフレーム変調（ＦＲＭ）モード中に、パルス幅変調（ＰＷＭ）モードを加える方法である。
【背景技術】
【０００２】
液晶は固体と液体の間に存在する有機化合物であり、また規格性の分子配列を有する化合物の一種でもある。それを加熱すると透明液体となり、冷却すると結晶した混濁固体となり、その特性のため液晶と称する。液晶ディスプレイの基本原理は液晶をガラス箱中に封じ込めたもので、液晶の基本特性により、電極で温度変化を起させて、その透光性に影響を与え、点滅効果を達成するものである。
【０００３】
よく見かける液晶ディスプレイ（ＬＣＤ）は、ＴＮタイプ液晶ディスプレイ（ＴＮ−ＬＣＤ）、ＳＴＮタイプ液晶ディスプレイ（ＳＴＮ−ＬＣＤ）、ＤＳＴＮタイプ液晶ディスプレイ（ＤＳＴＮ−ＬＣＤ）、薄膜トランジスタ液晶ディスプレイ（ＴＦＴ−ＬＣＤ）の四種である。その中で、ＴＮ−ＬＣＤ、ＳＴＮ−ＬＣＤ、ＤＳＴＮ−ＬＣＤの三種は基本的な表示原理が同じで、液晶分子のねじれ角が異なるだけである。ＳＴＮ−ＬＣＤの液晶分子のねじれ角は１８０度から大きいものは２７０度で、サイズはＴＮ−ＬＣＤより大きく、サイズが大きい電子辞書、電子ゲーム製品、ＰＤＡ、携帯電話、ローレベルノートPCなどに応用することができる。
【０００４】
「第１図」に示すのは、一般のＳＴＮタイプ液晶ディスプレイのパネル電極の図である。Ｘ電極群Ｘ１〜ＸｎとY電極群Ｙ１〜Ｙｎがマトリックス状に交差配列し、各交差点がパネル上の一画素である。コモン（Ｃｏｍｍｏｎ）駆動回路は、一本一本順番にY方向に配列する電極をスキャンし、そのスキャン速度は人間の目の速度より速くなければならず、人間の目の視覚残像を利用し、画面を見たところフリッカー感がないようにする。セグメント（Ｓｅｇｍｅｎｔ）駆動回路は、液晶ディスプレイ（ＬＣＤ）制御回路に基づき、送られて来るデータにより異なる電圧を産生し、X方向に配列する電極へ送り、交点上の電圧差により、その画素の点灯／非点灯を決定する。
【０００５】
駆動方式をコモン信号（Ｃｏｍｍｏｎ Ｓｉｇｎａｌ）とし、正負のフレーム（Ｆｒａｍｅ）時間中には、それぞれ最高電圧と最低電圧がある。さらにセグメント（Ｓｅｇｍｅｎｔ）回路により、表示するデータの電圧レベルを送る責務を負い、その画素を点灯させるかどうかを決定する。
【０００６】
一般に液晶にグレイスケール効果を表現させるためには、より精密に変化する信号を使用し、異なるエネルギーで液晶分子を駆動して、さらに人間の目の視覚残像現象により、異なる濃さの異なるグレイレベル効果が作られる。よく見かける液晶グレイスケール製作技術は、フレーム変調（Ｆｒａｍｅ  Ｒａｔｅ  Ｍｏｄｕｌａｔｉｏｎ；ＦＲＭ）とパルス幅変調（Ｐｕｌｓｅ  Ｗｉｄｔｈ  Ｍｏｄｕｌａｔｉｏｎ；ＰＷＭ）の二種のモードがある。
【０００７】
フレーム変調（ＦＲＭ）モードは、毎秒N個のフレーム中、点灯／非点灯（ＯＮ／ＯＦＦ）の回数でその画素ポイントのグレイスケールの濃さの程度を決定する。例を上げると、白黒表示の状況下で、毎秒フレーム数をN回と仮定する。ある画素が全て点灯状態の場合、その画素はＮ回点灯される必要がある。ＦＲＭのグレイスケール原理は、画素の点灯回数の制御であり、その画素のグレイレベルはN個のフレーム中に占める点灯回数の比率によりこれが決定される。「第２図」は、毎秒フレーム数を３回（４ＦＲＭ）と仮定する場合のグレイスケール（Ｇ０〜Ｇ３）の視覚効果と画素点灯（ＦＲ０〜ＦＲ２）回数の関係を示している。その画素が３回点灯すると、その画素は全点灯−白色（グレイスケールＧ３）で、その画素が０回点灯すると、その画素は黒色（グレイスケールＧ０）となる。
【０００８】
制御方面においては、この種の原理は点灯（ｔｕｒｎ−ｏｎ）回数を変更するだけで、通常ＬＣＤ駆動回路は交換せずに、ＬＣＤ制御回路を交換するだけでよい。そのフレーム変調（ＦＲＭ）方式は、最も重要なポイントがフレーム表示速度である。フレーム表示速度は必ず視覚残像周波数より高くなければならず、通常範囲は４２Ｈｚ〜１４０Ｈｚの間で、さもないとフリッカー（ｆｌｉｃｋｅｒ）現象が起こる。ＦＲＭを利用してグレイスケール視覚効果を作る場合、一画素毎の表示時間を延長する必要があり、且つ視覚残像区間内にも、充分な視覚光線が累積している必要があり、なお且つ背景の光線周波数と重畳するのを避ける。そうする事で効果的なグレイスケールの視覚効果を得ることができる。
【０００９】
パルス幅変調（ＰＷＭ）モードは、一つのフレーム毎の点灯（ｔｕｒｎ−ｏｎ）時間の長さを調整して、そのポイントの画素のグレイスケールの濃さ程度を決定する。例を上げると、フレーム周波数をＮ回と仮定すると、ある画素が点灯される量もまたN回なる。但し、ＰＷＭの方式は各ポイントが点灯する時間を短縮し、どれだけの時間を短縮するかにより、そのポイントのグレイスケール程度が決定される。
【００１０】
「第３図」に示すのは、同じ周波数の水平同期信号Ｈｓｙｎｃと垂直同期信号Ｖｓｙｎｃの状況下で、３ＰＷＭモードがセグメントの駆動回路（３ＰＷＭ in SEG）に加えられる。３ＰＷＭはフレームの点灯時間を２段に分け、画素が点灯される時間の長さに基づき、非点灯、半フレーム時間点灯、及び全フレーム時間点灯の３種のグレイスケール状態となる。例えばその「第３図」では、一つのフレーム内で半フレーム時間点灯している。但し、ＰＷＭモードは駆動回路の出力時間のタイミング（ｔｉｍｉｎｇ）を調整する必要があるため、元のＬＣＤ制御回路とＬＣＤ駆動回路を同時に交換する必要がある。つまり、そのセグメントの駆動回路の出力管理は特別設計し、元あるセグメントの駆動回路設計に取って代る必要があり、こうなると回路の複雑さと製造コストがかなり増加する。
【発明の開示】
【発明が解決しようとする課題】
【００１１】
そこで上記の欠点を解決するため、本発明はグレイスケールを増加する駆動方法の一種を発表する。本発明の主要目的は、フレーム変調（ＦＲＭ）モード中に、パルス幅変調（ＰＷＭ）モードを加え、低表示速度フレームの状況下で、画素が表示するグレイレベルを増加し、且つ元々あるＬＣＤ駆動回路を使用することができ、特殊規格のＬＣＤ駆動回路を必要としないことである。
【００１２】
本発明のもう一つの目的は、低表示速度フレームの状況下で、画素が表示するグレイレベルを増加し、フレーム変調（ＦＲＭ）モード中にパルス幅変調（ＰＷＭ）モードを加えて、画素がフリックしない（Ｎｏｍ−Ｆｌｉｃｋ）ようにし、且つクロストーク低減（Ｃｒｏｓｓｔａｌｋ  Ｒｅｄｕｃｔｉｏｎ）を低下して、画素内の駆動エレメントの出力を安定させて、パネルの寿命を延ばし、表示クォリティをアップすることである。
【００１３】
本発明でフレーム変調モード中にパルス幅変調モードを加える意義は、パルス幅変調モードをＹ方向スキャン電極のコモン駆動回路上に設定し、セグメント駆動回路が液晶ディスプレイ制御回路に基づき送られてくるデータに基づき異なる電圧を産生し、Ｘ方向の配列電極にまで到達させることである。水平同期信号を利用して調整し、そのパルス幅変調モードが必要な時間数に分割し、一フレーム時間内にある水平同期信号数を変更することで、そのフレーム時間を分割する。これにより、そのＰＷＭモードで点灯する画素の時間長さはそのＬＣＤ制御回路に設計するだけでよい。コモンシグナルに対し、一フレーム内の点灯時間長さにおいてＬＣＤ制御回路を変更し、ＬＣＤ駆動回路は交換しなくてよい。
【００１４】
本発明をさらに一歩進め、ＬＣＤ制御回路により、ＰＷＭの点灯時間セグメントを分散して、近隣の非点灯フレームに与える。そして、画素を元は連続していたフレーム中の点灯フレーム時間に対し、近隣の点灯画素を持たないフレーム時間に分散させて、同じフレーム時間内の画素に元のグレイレベルが必要とするのと同じ点灯時間を保有させる。但し、点灯と非点灯の時間間隔がどちらも短くなるため、フレーム表示速度が人間の視覚残像周波数より高くなり、フリッカー現象を減らすことができる。
【００１５】
また、本発明は同一セグメントの電極に対し、その上下方向に隣り合うコモン電極の画素が接収するＰＷＭ点灯信号を連続させ、また非点灯のＰＷＭ信号を連続させることができる。且つ、隣り合うセグメント電極間の画素のコモン電極上のＰＷＭ点灯信号が連続し、また非点灯のＰＷＭ信号が連続して、一つ前のセグメントの電極状態とずれ、セグメント電極上の画素点灯時間を最適化し分散させた後のＰＷＭモードとし、画素の駆動切り替え動作の頻度を減少させることができ、且つ隣り合うセグメントの電極上の画素も信号がずれるため、信号間のクロストーク低減が減り、画素駆動エレメントの出力を安定させ、パネルの寿命を延ばし、表示クォリティをアップさせることができる。
【課題を解決するための手段】
【００１６】
請求項１の発明は、フレーム変調モードを有する表示パネルに対し、以下を含むことを特徴とするグレイスケールを増加する駆動方法の一種において、
水平同期信号を利用した調整により、一つのフレーム時間内の水平同期信号数を変更し、そのフレーム時間を分割して、パルス幅変調モードを加え、且つそのパルス幅変調モードをコモン駆動回路上に設定することを特徴とするグレイスケールを増加する駆動方法としている。
請求項２の発明は、当該パルス幅変調モードをさらに一歩進め、フレーム内の点灯時間のセグメントを近隣の非点灯フレームにシェアして、表示パネル上の画素を元々は連続フレーム中の点灯フレーム時間に対し、近隣の非点灯画素のフレーム時間にまで分散させることを特徴とする請求項１記載のグレイスケールを増加する駆動方法としている。
請求項３の発明は、当該点灯時間のセグメントのシェアは、同じフレーム数内で、画素に元のグレイレベルが必要したのと同じ点灯時間を保有させることを特徴とする請求項２記載のグレイスケールを増加する駆動方法としている。
請求項４の発明は、当該表示パネル上の同一セグメント電極の上下方向に隣り合う画素のパルス幅変調の点灯信号を連続させ、また非点灯のパルス幅変調信号を連続させて、画素の駆動切り替え動作頻度を減少することを特徴とする請求項２記載のグレイスケールを増加する駆動方法としている。
請求項５の発明は、隣り合うセグメント電極の画素の点灯及び非点灯のパルス幅変調信号をずらし、信号間のクロストーク低減を減少できることにあることを特徴とする請求項４記載のグレイスケールを増加する駆動方法としている。
【発明の効果】
【００１７】
本発明はグレイスケールを増加する駆動方法。本発明の主要目的は、フレーム変調（ＦＲＭ）モード中に、パルス幅変調（ＰＷＭ）モードを加え、低表示速度フレームの状況下で、画素が表示するグレイレベルを増加し、且つ元々あるＬＣＤ駆動回路を使用することができ、特殊規格のＬＣＤ駆動回路を必要としないことである。
【００１８】
低表示速度フレームの状況下で、画素が表示するグレイレベルを増加し、フレーム変調（ＦＲＭ）モード中にパルス幅変調（ＰＷＭ）モードを加えて、画素がフリックしない（Ｎｏｍ−Ｆｌｉｃｋ）ようにし、且つクロストーク低減（Ｃｒｏｓｓｔａｌｋ  Ｒｅｄｕｃｔｉｏｎ）を低下して、画素内の駆動エレメントの出力を安定させて、パネルの寿命を延ばし、表示クォリティをアップすることである。
【発明を実施するための最良の形態】
【００１９】
「第４図」に示すのは、フレーム変調（ＦＲＭ）モード中にパルス幅変調（ＰＷＭ）モードを加えた（４ＦＲＭ＋３ＰＷＭ）のグレイスケール視覚効果と画素点灯回数の関係図である。フレーム変調（ＦＲＭ）モードはN個のフレーム中の、毎秒の点灯／非点灯（ＯＮ／ＯＦＦ）回数を利用して、その画素ポイントのグレイスケール濃度を決定する。ＦＲＭのグレイスケール原理は画素の点灯回数を制御し、その画素のグレイスケール程度をN個のフレーム中に占める点灯回数の比率により決定する。毎秒当りのフレーム数が３回ある（４ＦＲＭ）を例にとると、従来の駆動方法中のフレーム変調（ＦＲＭ）モードだけのグレイスケール（Ｇ０〜Ｇ３）視覚効果と画素点灯（ＦＲ０〜ＦＲ２）回数の関係は「第２図」に示す通り、Ｇ０、Ｇ１、Ｇ２、Ｇ３の四段階のグレイレベルだけである。しかし本発明では、フレーム変調（ＦＲＭ）モード中にパルス幅変調（ＰＷＭ）モードを加えている。パルス幅変調（ＰＷＭ）モードは一フレーム毎に点灯（ｔｕｒｎ−ｏｎ）時間の長さを調整し、その画素のグレイスケールの濃度を決定する。各フレーム数に３ＰＷＭモードを加えた例（例えば「第４図」に示すように）によると、３ＰＷＭは一フレームの点灯時間を二段階、すなわち非点灯と点灯が各半フレーム時間、及びフレーム全体の時間など三種のグレイスケール状態に分ける。そのため、本発明では一フレーム時間内の画素の点灯には三種の状態がある。４ＦＲＭ＋３ＰＷＭモード下では、画素一つ毎がＧ０、Ｇ１、Ｇ２、Ｇ３、Ｇ４、Ｇ５、Ｇ６等の七段階のグレイレベルを有する。
【００２０】
「第５図」に示すのは、本発明のパルス幅変調（ＰＷＭ）の信号図である。本発明は、パルス幅変調（ＰＷＭ）モードをY方向スキャン電極のコモン（Ｃｏｍｍｏｎ）駆動回路上に設定する。そして、セグメント（Ｓｅｇｍｅｎｔ）駆動回路は液晶ディスプレイ制御回路によって送られてくるデーターに基づき、異なる電圧を産生し、X方向配列の電極にまで到達させる。本発明は水平同期信号Ｈｓｙｎｃを利用して調整し、そのパルス幅変調（ＰＷＭ）モードが必要とする時間段数に分割する。図は３ＰＷＭモード下の、元は同期していた水平同期信号Ｈｓｙｎｃと垂直同期信号Ｖｓｙｎｃである。その中でその水平同期信号Ｈｓｙｎｃが一つ多くのセグメント信号を出すと、当初一フレーム時間に一水平同期信号Ｈｓｙｎｃセグメントと一垂直同期信号Ｖｓｙｎｃセグメントだけだったのが、一フレーム時間内に二つの水平同期信号Ｈｓｙｎｃセグメントを有するように変わり、そのフレーム時間が分割される。これによると、そのＰＷＭモードの点灯画素の時間長さは、そのＬＣＤ制御回路に設計するだけでよく、一フレーム内の点灯時間長さのコモン信号に対し、ＬＣＤ制御回路を変更し、ＬＣＤ駆動回路は交換しなくてよい。
【００２１】
前記の原理に基づき、１６ＦＲＭ＋３ＰＷＭに対し、３１階調のグレイレベルが得られ、そのグレイレベルは「第６図」に示す通りである。従来の１６ＦＲＭが１６階調のグレイレベルを有するだけであるのと比べて、本発明の１６ＦＲＭ＋３ＰＷＭは従来の１６ＦＲＭよりグレイレベルが二倍近くに増える。同じく１６ＦＲＭ＋４ＰＷＭに対しては４６階調のグレイレベルが得られ、そのグレイレベルは「第７図」に示す通りである。従来の１６ＦＲＭのグレイレベルと比較すると、１６ＦＲＭ＋４ＰＷＭは従来の１６ＦＲＭよりグレイレベルが三倍近くに増える。
【００２２】
「第８図」は、本発明のパルス幅変調（ＰＷＭ）の点灯分散図である。３ＰＷＭを例にとると、同一画素に対し、連続フレームＦＲ０〜ＦＲ５中、ノーマル状況下の一フレームの点灯状況は図（上列）に示す通りである。連続フレームＦＲ０〜ＦＲ５中、フレームＦＲ０及びフレームＦＲ１の前半フレーム時間とフレームＦＲ３及びフレームFR４の前半フレーム時間が点灯している。そのため、画素はフレームＦＲ１の後半フレーム時間とフレームＦＲ２の時間内において、全部で３／２個のフレーム時間が非点灯である。本発明のもう一つ別の意義は、一歩進めて、ＬＣＤ制御回路によりＰＷＭの点灯時間を近隣の非点灯フレームに分散することができることである。その分散後のＰＷＭの一フレームの点灯最適化は図（下列）に示す通りで、画素は元の連続フレームＦＲ０〜ＦＲ２中において、フレームＦＲ０及びＦＲ１の前半フレーム時間に点灯し、フレームＦＲ０〜ＦＲ２の各フレームの前半フレーム時間に分散する。元の連続フレームＦＲ３〜ＦＲ５中、フレームＦＲ３及びフレームＦＲ４の前半フレーム時間に点灯し、フレームＦＲ３〜ＦＲ５の各点灯フレームの前半フレーム時間に分散する。これにより、同じフレーム時間内の画素に、元のグレイレベルが必要とするのと同じ点灯時間を保有させている。しかし、点灯と非点灯の時間間隔が共に短くなるため、最適に分散したＰＷＭの点灯時間モードは、ノーマルＰＷＭの点灯時間モードと比較して、低いフレーム速度の状況下で、フレーム表示速度を人間の視覚残像周波数より高くし、フリッカー現象（ｆｌｉｃｋｅｒ）を減らすことができる。
【００２３】
また、クロストーク低減（Ｃｒｏｓｓｔａｌｋ  Ｒｅｄｕｃｔｉｏｎ）を減らし、画素内駆動エレメントの出力を安定させ、パネルの寿命を延長し、表示クォリティをアップさせるため、本発明では以下の方式を利用し、異なるＰＷＭ密度を表示パネル上に分配する。同一セグメント電極上に対し、その上下方向に隣り合うコモン電極の画素が接収するＰＷＭ点灯信号を連続させ、また非点灯ＰＷＭ信号を連続させる。且つ、隣り合うセグメント電極間の画素のコモン電極上のＰＷＭ点灯信号が連続し、また非点灯ＰＷＭ信号が連続して、一つ前のセグメント電極状態とずらせて、セグメント電極上の画素点灯時間を最適化し分散させた後のＰＷＭモードとし、画素の駆動切り替え動作の頻度を減少することができ、且つ隣り合うセグメント電極上の画素もまた、信号のずれにより、信号間のクロストーク低減（Ｃｒｏｓｓｔａｌｋ  Ｒｅｄｕｃｔｉｏｎ）が減り、画素駆動の出力を安定させ、パネルの寿命を延長し、表示クォリティをアップさせることができる。
【００２４】
３ＰＷＭモードを例にとる「第９図」では、その二つの水平同期信号Hsyncに一つの垂直同期信号Ｖｓｙｎｃを組み合わせて、１／２ＰＷＭ密度（一つの水平同期信号Ｈｓｙｎｃ時間）で、６・４パネルに対し、隣り合うコモン電極Ｃ０〜Ｃ３、及び隣り合うセグメント電極Ｓ０〜Ｓ５のＰＷＭ密度分配を下記のようにする。単一セグメント電極（Ｓ０〜Ｓ５）の上下方向に隣り合うコモン電極Ｃ０〜Ｃ３上の画素が接収するＰＷＭ点灯信号と非点灯ＰＷＭ信号を、隣り合うコモン電極Ｃ０〜Ｃ３のフレームの前後の段階に分配させて、そのＰＷＭ点灯／非点灯の信号を連続させる。且つ、隣り合うセグメント電極Ｓ０〜Ｓ５間のコモン電極Ｃ０〜Ｃ３上の点灯／非点灯のＰＷＭ信号の連続状態と一つ前のセグメント電極ＰＷＭ信号状態をずらせる。
【００２５】
「第１０図」及び「第１１図」を参照のこと。上記原理と同じく、本発明が４ＰＷＭモードを用いる時、４ＰＷＭモードは三つの水平同期信号Ｈｓｙｎｃに一つの垂直同期信号Ｖｓｙｎｃを組合せるため、６・４パネルの状況を例にとると、その１／３ＰＷＭ密度（一つの水平同期信号Ｈｓｙｎｃ時間）の画素点灯時間の配置は「第１０図」に示す通りである。そして、２／３ＰＷＭ密度（二つの水平同期信号Ｈｓｙｎｃ時間）での画素点灯時間配置は「第１１図」に示す通りである。
【００２６】
上記をまとめると、本発明はフレーム変調モード中に、パルス幅変調モードを加え、パルス幅変調モードをY方向スキャン電極のコモン駆動回路上に設定する。水平同期信号を利用して調整し、そのパルス幅変調モードが必要とする時間数に分割して、一フレーム時間内の水平同期信号数を変更することでそのフレーム時間を分割する。これによると、そのＰＷＭモードの点灯画素の時間長さは、そのＬＣＤ制御回路に設計するだけでよく、特殊なＬＣＤ駆動回路を必要としない。
【００２７】
本発明をさらに一歩進め、ＰＷＭの点灯時間を近隣の非点灯フレームに分散でき、画素の元の連続フレーム中の点灯フレーム時間を、近隣の点灯画素を持たないフレーム時間に分散させる。同じグレイレベルの状況下で、点灯と非点灯の時間間隔を共に短くし、画像表示速度を人間の視覚残像周波数より高くすることでフリッカー現象を減らす。
【００２８】
また、同一のセグメント電極に対し、その上下方向に隣り合うコモン電極の隣り合う画素が接収する点灯と非点灯信号を連続させる。且つ隣り合うセグメント電極間の画素が点灯及び非点灯となる信号の連続時間がずれて、画素の駆動切り替え動作の頻度が減る。さらに、隣り合う画素もまた信号のずれのため、信号間のクロストーク低減が減り、画素駆動エレメントの出力を安定させ、パネルの寿命を延ばし、表示クォリティをアップさせる。
【図面の簡単な説明】
【００２９】
【図１】一般のＳＴＮタイプ液晶ディスプレイパネルの電極の図である。
【図２】一般のフレーム変調のグレイスケール視覚効果と画素点灯回数の関係図である。
【図３】一般のパルス幅変調の信号図である。
【図４】本発明のフレーム変調にパルス幅変調を加えたグレイスケール視覚効果と画素点灯回数の関係図である。
【図５】本発明のパルス幅変調の信号図である。
【図６】本発明の１６ＦＲＭ＋３ＰＷＭモードのグレイレベルの表である。
【図７】本発明の１６ＦＲＭ＋４ＰＷＭモードのグレイレベルの表である。
【図８】本発明のパルス幅変調の点灯分散図である。
【図９】本発明の３ＰＷＭモードでの画素点灯分配図である。
【図１０】本発明の４ＰＷＭモード（１／３ＰＷＭ）での画素点灯分配図である。
【図１１】本発明の４ＰＷＭモード（２／３ＰＷＭ）での画素点灯分散図である。
【図１】
2007264185.tif 000003
【図２】
2007264185.tif 000004
【図３】
2007264185.tif 000005
【図４】
2007264185.tif 000006
【図５】
2007264185.tif 000007
【図６】
2007264185.tif 000008
【図７】
2007264185.tif 000009
【図８】
2007264185.tif 000010
【図９】
2007264185.tif 000011
【図１０】
2007264185.tif 000012
【図１１】
2007264185.tif 000013